(57)【特許請求の範囲】
【請求項１】
河岸、河床又は海岸の各壁面に配設可能な台座部と、
該台座部に設けられる流水規制部とからなり、
前記流水規制部は、前記台座部から略直角方向に延び、下流側に淀みを形成可能な起立壁と、
該起立壁の先端に略流線型に設けられる屋根部とからなることを特徴とするブロック。
【請求項２】
前記起立壁は、魚等の移動を可能とする貫通孔を形成したことを特徴とする請求項１に記載のブロック。
【請求項３】
前記屋根部は、植物が配設される植生孔を形成したことを特徴とする請求項１又は２に記載のブロック。
【発明の詳細な説明】
【０００１】
【発明の属する技術分野】
本発明は、川岸や河床あるいは海岸に使用可能なブロックに関するものである。
【０００２】
【従来の技術】
従来、河川等に設けられるブロックとして、護岸を目的とした次のようなものがある。▲１▼繊維シート上にブロックマットを配設し、このブロックマットの空洞部分に培養土、種子等を投入したもの（特開平４ー２０３１１６号公報参照）。▲２▼法面保護ブロックの表板に多数の孔を穿設すると共にメッシュ網等を埋設し、植生用土壌を充填した状態で、裏板を閉塞したもの（特開平７ー５４３６３号公報参照）。
【０００３】
【発明が解決しようとする課題】
しかしながら、前記▲１▼のブロックでは、川岸の法面全体に繊維シートを被せる必要があり、敷設工事が大がかりとなる。また、植生する植物自体は、法面に根付くことによりブロックに位置決めされるだけである。このため、増水時等に、流下する恐れがある。
【０００４】
また、▲２▼の法面保護ブロックでは、単一形状のものを河岸の法面に敷設できるだけであり、河床や海岸等への敷設には適さず、汎用性に乏しい。
【０００５】
さらに、前記いずれのブロックでも、河川の魚等の生息環境については十分に考慮されたものとは言えない。
【０００６】
そこで、本発明は、河川や海岸の環境保全を目的としたブロックを提供することを課題とする。
【０００７】
【課題を解決するための手段】
前記課題を達成するため、本発明では、ブロックを、河岸、河床又は海岸の各壁面に配設可能な台座部と、該台座部に設けられる流水規制部とからなり、前記流水規制部は、前記台座部から略直角方向に延び、下流側に淀みを形成可能な起立壁と、該起立壁の先端に略流線型に設けられる屋根部とから構成したものである。
【００１４】
この構成により、起立壁が流水を堰止め、又、屋根部によって仕切ることにより、下流側に魚等の生息しやすい空間を形成できる。また、屋根部は、流線型であるので、流水からの抵抗を受けにくく、騒音を発生しにくい。
【００１５】
前記起立壁は、魚等の移動を可能とする貫通孔を形成すると、特に河床に敷設した際、魚等がスムーズに移動できる点で好ましい。
【００１６】
前記屋根部には、植物が配設される植生孔を形成するのが好ましい。
【００２０】
なお、前記流水規制部は、下流側に向かって凹状に開口する形状であってもよい。
【００２１】
【発明の実施の形態】
以下、本発明の実施の形態を添付図面に従って説明する。
【００２２】
（第１実施形態）  図１及び図２は、第１の実施形態に係るブロック１の斜視図及びその断面図である。このブロック１は、ブロック本体２と、蓋体３とからなる。ブロック本体２は、断面略楕円形状で、河床や堤防の壁等に当接する平坦面２ａを有し、例えば、コンクリート、合成樹脂材料等で形成される。コンクリートで形成する場合、強度面を考慮して鉄筋を内蔵してもよい。また、ブロック本体２には、両端（長尺でなければ、一端のみでもよい。）に開口する貫通孔４と、この貫通孔４と外部とを連通する複数の連通孔５と、平坦面２ａに形成される位置決め孔２ｂとが穿設されている。前記各連通孔５には、割れ防止リング６が嵌合されている。割れ防止リング６には、例えば、ポリカーボネート等の合成樹脂材料や、ステンレス等の防錆性に優れた金属材料等が使用可能である。なお、前記連通孔５は、割れ防止リング６を嵌合した状態で、植物の芽や根が伸び出るのに十分で、かつ、流速が増大する等によって植物が流れ出ないような数及び内径であればよい。
【００２３】
前記蓋体３は、ブロック本体２に形成した貫通孔４を両側からそれぞれ閉塞する。これにより、ブロック１には、中空部７が形成される。
【００２４】
なお、前記ブロック１は、前記形状に限らず、断面矩形の直方体や球体等であってもよく、河川等の景観や流水状態等の敷設条件（流れが急か否か、周囲の景観等）の違いに応じて自由に変更可能である。
【００２５】
前記構成からなるブロック１は、ブロック本体２の一方の開口部４ａを蓋体３により閉塞した状態で、水草等の植物の種を椰子繊維等の植物繊維（培養土等を含めてもよい。）に混ぜて他方の開口部（図示せず）から収容し、その開口部を蓋体３で閉塞することにより簡単に完成することができる。培養土等を収容する場合、中空部７から流し出されないように、不織布やメッシュ筋等で包むように構成してもよい。また、前記植物繊維に代えて、スポンジや布、綿等で構成してもよい。
【００２６】
そして、河岸又は河床あるいは海岸に敷設する場合、ブロック１が流されないように、河岸、河床あるいは海岸を構成する部分に固定する。詳しくは、河岸等をコンクリートで形成し、そこから複数の突起８を立設させ、この突起８を各ブロック１の位置決め孔２ｂに係合することにより着脱可能に敷設する。この場合、水の流れが直接作用する部分には、連通孔５が位置しないように敷設するのが好ましい。なお、前記ブロック１は、敷設前に、収容した種を発芽させ、ある程度成長させてから敷設するようにしてもよい。
【００２７】
このようにして敷設されたブロック１では、植物は、中空部７に保持されると共に、複数の連通孔５から植物の一部が伸び出るので、流水や波等によって流されることがない。
【００２８】
また、ブロック１の中空部７と外部とは、連通孔５のみを介して連通するだけであり、そこには植物の根等が位置するので、内部に他の植物の種が入り込むことがない。このため、帰化植物等の影響を抑えて、所望の植物のみを植生することが可能となる。
【００２９】
また、ブロック１が、破損、経時劣化等すれば、そのブロック１のみを交換することができ、少ない労力で簡単に修復することが可能である。
【００３０】
特に、前記ブロック１を河川に敷設する場合、その下流側に淀みを形成することが可能となり、魚の生息しやすい環境を提供できる。この場合、ブロック１の下流側河床に凹部を形成すれば、より魚にとって生息しやすい環境となる。また、たとえ水位が低くなったとしても、ブロック１が流れを乱して乱流状態とすることにより、流水中に空気中の酸素を取り込みやすくし、環境の悪化を防止する。さらに、ブロック１を図３（ａ）に示すように千鳥配列で敷設すれば、各ブロック１毎に形成される下流側の淀みにより、魚が上流側へと遡上しやすくなる。この場合、各ブロック１は、流下方向に対していずれの方向に傾斜するように敷設しても構わない。また、河川が図３（ｂ）に示すように蛇行している場合、ブロック１を、河床の膨出する河岸側に多く設ければよい。これにより、膨出側の河岸への流水速度を抑えて、そこでの浸食を防止可能である。
【００３１】
また、前記ブロック１を海岸に敷設する場合、図４に示すように、岸壁から下方に向かって傾斜するように配置すると共に、各ブロック１毎にわかめ等の植物を植生しておくことができる。これにより、波が岸壁に衝突しても、これを緩和して陸上に打ち上がることを防止することができると共に、船を横付けする際、前記植物がクッションの役割を果たし、船体の損傷を防止できる。
【００３２】
また、ブロック１を遠浅の海岸に敷設する場合、図５に示すように、海岸をコンクリートで形成し、その上面にブロック１を陸上側に向かって傾斜するように固定すればよい。そして、コンクリート上に砂等を堆積しておけば、前記ブロック１により引き潮時等に海側に砂が移動することを防止でき、人工海岸であるにも拘わらず、自然に近い状態を維持することが可能である。
【００３３】
なお、前記実施の形態では、各ブロック１を、その位置決め孔２ｂに、コンクリートで形成した河床等に設けた突起８を係合することにより敷設するようにしたが、次のように構成しても構わない。例えば、図６に示すように、ブロック１の下面に矩形板状の台座部９を一体化し、この台座部９を河床等に敷き詰めるというものである。この場合、隣接する台座部９同士を、瓦葺きのように、互いの側縁が重なるように敷設することにより、一方から他方に向かって順次隣接するブロック１に押え付けられるようにするのが好ましい。これにより、ブロック１の敷設作業と同時に、護岸工事を完了することができる。また、一部のブロック１を河床等に固定するだけで、全てのブロックの固定が可能である。特に、各ブロック１の重なり部分に係合部及び係合受部をそれぞれ形成するようにすれば、より位置ずれしにくくなり好適である。また、各ブロック１の固定は、位置決め孔２ｂ及び突起８、あるいは、台座部９で行うようにしたが、各ブロック１をワイヤー等で連結し、その端部を河岸等の陸上で固定することも可能である。
【００３４】
また、前記実施の形態では、ブロック１の中空部７に植物を配設する構成としたが、図７に示すように、略有底筒状として植物あるいはその種を椰子繊維と共に取出可能に収容する構成としてもよい。この場合、上方開口部が本発明に係る連通部を構成することになる。このブロック１は、主に、河岸に設けて利用することができ、たとえ植物が枯れてしまったとしても、上方から簡単に植物のみを交換することができる。
【００３５】
さらに、前記実施の形態では、ブロック１を、河床、河岸あるいは海岸に設けるようにしたが、河川に形成した堰に設けるようにしても構わない。この場合、堰の構造は、図８に示すように、一方の縁部の支軸１０を中心として転倒可能に設けた上流側堰板１１の他方の縁部の支軸１２に回動可能に下流側堰板１３を設けた構造とし、前記ブロック１を下流側堰板１３の上面に形成する必要がある。
【００３６】
（第２実施形態）  図９は、第２の実施形態に係るブロック２１の断面図を示す。このブロック２１は、台座部２２と、この台座部２２の中央から突出する流水規制部２３とからなる。
【００３７】
前記台座部２２は板状で、河岸、河床又は海岸に敷き詰め可能である。各台座部２２には段部２４が形成され、隣接する台座部２２同士が互いに押さえ付けられるようになっている。
【００３８】
前記流水規制部２３は、台座部２２の中央から突出する起立壁２５と、この起立壁２５の上端部に設けられる略流線型の屋根部２６とからなる。前記起立壁２５は、流水方向にほぼ直交するように配設される。起立壁２５には複数の貫通孔２７が穿設されている。各貫通孔２７は、上流側への魚等の移動を可能とする。但し、貫通孔２７は、起立壁２５の下流側に淀みを形成可能とするように、内径、穿設場所、数等とされる。また、前記屋根部２６には、図１０に示すように、上面からテーパ状の挿通孔２８が穿設されている。各挿通孔２８には植生用のブッシュ２９が着脱可能に装着されている。
【００３９】
ブッシュ２９は耐食性に優れた金属、非鉄金属又は合成樹脂材料で構成可能である。ブッシュ２９の上端には鍔部２９ａが形成されている。この鍔部２９ａは必ずしも必要なものではないが、ブッシュ２９を挿通孔２８から取り外す際の補助となる。また、ブッシュ２９の中心には、テーパ状又は段付き状の植生孔２９ｂが穿設されている。各植生孔２９ｂには植物が配設されている。植生孔２９ｂの数は限定されず、複数穿設する場合、それぞれ異なる植物を配設するようにしてもよい。なお、前記植生孔２９ｂに植物の種を配設する場合、前記第１実施形態同様、植物繊維、スポンジ、布、綿等で包めばよく、培養土等を一緒に収容するのが好ましい。
【００４０】
このように、前記ブッシュ２９によれば、植生孔２９ｂ毎に特定の植物を植生することができる。また、このブッシュ２９により、植物の成長を制限して所望の景観を維持することができる。
【００４１】
前記構成のブロック２１は河床等に敷き詰めるようにしてもよいが、図１１に示すように、台座部２２を栗石等で押さえるようにしただけで敷設しても構わない。これによれば、敷設工事が簡単で済む。勿論、台座部２２で河岸や海岸の壁面を構成するようにしてもよい。
【００４２】
また、河床に敷設した状態では、起立壁２５が流水を遮ることにより下流側に魚等の水生動物が生息しやすい淀みを形成することができる。しかも、起立壁２５には複数の貫通孔２７が穿設されているので、水生動物は上流側にも移動可能である。また、余剰な流水は滑らかな略流線型の屋根部２６の上面に沿って下流側へと流下する。このため、単に堰を設ける場合のような騒音が発生しにくい。したがって、住宅地の水路等に適している。
【００４３】
（第３実施形態）  図１２は、第３の実施形態に係るブロック３１の断面図を示す。このブロック３１は、前記第２実施形態同様、台座部３２と、流水規制部３３とからなる。台座部３２は、河岸を構成するように配設される。流水規制部３３は、台座部３２から水平方向に突出し、その先端は下方に向かって屈曲している。台座部３２と流水規制部３３とで囲まれた空間は、流水との接触面積が大きいため、流速が抑えられ、魚等の水生動物が生息しやすい環境となる。
【００４４】
前記構成のブロック３１は、河岸に階段状に設けることができるので、水位が低下すると、流水規制部３３が順次水面上方に位置し、道路等として利用することが可能である。
【００４５】
なお、前記流水規制部３３の形状は、次のようにしてもよい。
【００４６】
図１３に示すブロック４１では、主に河床に配設され、流水規制部４２は、台座部４３から流水方向に対して湾曲するように敷設されている。このブロック４１には、配設場所等に応じて補助板４１ａを装着可能である。補助板４１ａの装着構造としては、一方に係合突起、他方に係合孔を形成したものや、両者に貫通孔を形成し、ボルト・ナットで固定する等、種々の方法が採用可能である。また、河岸に配設する場合、特に蛇行した河川の膨出側の河岸に配設する場合、図１４（ｂ）に示すように、流水規制部４２を下流側に向かって屈曲させればよい。この場合も、図１３のように補助板４１ａを設けることが可能である。また、流水規制部４２には、図１４（ａ）に示すように、上方が開口する箱体形状の植生用ボックス４２ａを取付可能である。この場合、植生用ボックス４２ａは直接流水が作用しない内側に設けるのが好ましい。
【００４７】
また、図１５に示すブロック４４では、流水規制部４５は、下流側に開口する凹部４６を有している。
【００４８】
【発明の効果】
以上の説明から明らかなように、本発明に係るブロックによれば、増水により流速が増した場合等であっても、植物は中空部やブッシュに保持されているので、流されてしまうことはない。したがって、所望の植物を特定場所に確実に植生することができる。また、成長した植物により外観上は自然に近い状態となるので、景観を損ねることもない。しかも、所望の形状に形成することができるので、敷設場所に応じた適切なものに変更することも可能である。さらに、河川に設けた場合、水の流れを緩和して、その下流側に淀みを形成するので、魚が生息しやすい環境を提供することができる。
【図面の簡単な説明】
【図１】  第１の実施形態に係るブロックの一部断面斜視図である。
【図２】  図１のブロックの断面図である。
【図３】  図１のブロックを敷設した状態を示す平面図である。
【図４】  図１のブロックを海岸の岸壁に敷設した状態を示す図である。
【図５】  図１のブロックを遠浅海岸に敷設した状態を示す図である。
【図６】  第１の実施形態に係るブロックの変形例を示す断面図である。
【図７】  第１の実施形態に係るブロックのさらに他の変形例を示す断面図である。
【図８】  第１の実施形態に係るブロックを堰に設けた状態を示す図である。
【図９】  第２の実施形態に係るブロックの断面図である。
【図１０】  図９の一部を示す分解断面図である。
【図１１】  図９のブロックの他の敷設方法を示す断面図である。
【図１２】  第３の実施形態に係るブロックの敷設状態を示す断面図である。
【図１３】  他の実施形態に係るブロックの斜視図である。
【図１４】  図１３のブロックの配設状態を示す図である。
【図１５】  他の実施形態に係るブロックの斜視図である。
【符号の説明】
１  ブロック
２  ブロック本体
３  蓋体
５  連通孔
７  中空部
【図１】
0003833343.tif 000002
【図２】
0003833343.tif 000003
【図３】
0003833343.tif 000004
【図４】
0003833343.tif 000005
【図５】
0003833343.tif 000006
【図６】
0003833343.tif 000007
【図７】
0003833343.tif 000008
【図８】
0003833343.tif 000009
【図９】
0003833343.tif 000010
【図１０】
0003833343.tif 000011
【図１１】
0003833343.tif 000012
【図１２】
0003833343.tif 000013
【図１３】
0003833343.tif 000014
【図１４】
0003833343.tif 000015
【図１５】
0003833343.tif 000016